(57)【要約】【課題】表示面上で光学式ポインティングデバイスを使用する際の誤動作を防止し得る表示装置を提供することを主目的とする。【解決手段】投射光Ｌｐを射出する光学エンジン５は、光学式マウスによって検知される赤外領域の光を減衰させる赤外線カットフィルタ２６を備え、赤外線カットフィルタ２６を通過させて投射光Ｌｐをスクリーンパネルに向けて投射する。この場合、光学エンジン５は、投射光Ｌｐを生成するための光源部２１を備えて構成され、赤外線カットフィルタ２６は、光源部２１と、光学エンジン５によって光変調された投射光Ｌｐが射出される射出口２７との間に配設されている。【選択図】図２
2005258088.tif 000002
【特許請求の範囲】
【請求項１】
画像を視認させるための光を射出する光射出部と、当該光射出部から射出された前記光に対して光学式ポインティングデバイスによって検知される主要波長領域の光を減衰させつつ通過させるフィルタ部とを備えている表示装置。
【請求項２】
投射光を射出する光学エンジンと、背面側から投射された前記投射光に基づく画像を表示するスクリーンパネルとを備え、前記光学エンジンは、光学式ポインティングデバイスによって検知される主要波長領域の光を減衰させるフィルタ部を備え、当該フィルタ部を通過させて前記投射光を前記スクリーンパネルに向けて投射する表示装置。
【請求項３】
前記光学エンジンは、前記投射光を生成するための光源を備えて構成され、
前記フィルタ部は、前記光源と、前記光学エンジンによって光変調された前記投射光が射出される射出口との間に配設されている請求項２記載の表示装置。
【請求項４】
前記スクリーンパネルは、前記投射光に基づく画像を表示するスクリーンパネル本体と、当該スクリーンパネル本体のパネル面を上向きにした状態で当該スクリーンパネル本体を支持する支柱とを備えている請求項２または３記載の表示装置。
【請求項５】
前記フィルタ部は、誘電体多層膜フィルタ、ホログラフィックフィルタ、色ガラスフィルタおよびゼラチンフィルタの少なくとも１つで構成されている請求項１から４のいずれかに記載の表示装置。
【請求項６】
前記主要波長領域が赤外領域に規定されている請求項１から５のいずれかに記載の表示装置。
【発明の詳細な説明】
【技術分野】
【０００１】
本発明は、画像を表示する表示装置に関するものである。
【背景技術】
【０００２】
この種の表示装置として、リアプロジェクタ、ＣＲＴ、液晶ディスプレイおよびプラズマディスプレイなどが一般的に知られており、このうちのリアプロジェクタ（透過型投影ディスプレイ）が、特開２００３−２１５７１６号公報に開示されている。このリアプロジェクタは、同公報の図１に示すように、光学エンジン（プロジェクタ）から射出された投射光がスクリーンパネル（透過型投影スクリーン）の背面側から投射されることによってスクリーンパネルの前面側に画像を表示可能に構成されている。
【０００３】
一方、コンピュータ等に対する入力装置（ポインティングデバイス）として光学式マウスが一般的に知られている。この種の光学式マウスは、一例として、実用新案登録第３０８７６３７号公報に開示されているように、光源（発光ダイオード）および光電変換素子（感知ユニット）などを備えている。この光学式マウスでは、光源から射出された光が反射面で反射されて、その反射光が光電変換素子によって光電変換されている。
【特許文献１】特開２００３−２１５７１６号公報（第３頁、第１図）
【特許文献２】実用新案登録第３０８７６３７号公報（第１０−１２頁、第３図）
【発明の開示】
【発明が解決しようとする課題】
【０００４】
ところが、従来の表示装置を用いてそのスクリーンパネルのパネル面（表示面）上で光学式マウスを使用する場合には、以下の問題が生じる。すなわち、光学式マウスの光電変換素子は、光学式マウスの光源が射出する所定波長領域の光を検知して光電変換する。ところが、光電変換素子は、所定波長領域の光だけでなく所定波長領域に近い光を検知して光電変換することがある。一方、この表示装置では、投射光を射出した際に、投射光に基づく画像がスクリーンパネルに表示されると共にスクリーンパネルによって拡散された拡散光が表示面から射出される。この際に、表示面から射出される光には、光学式マウスの光電変換素子によって検知可能な所定波長領域に近い波長領域の光が含まれていることがある。この場合、光電変換素子が、光学式マウスの光源から射出された光のみならずスクリーンパネルの表示面から射出された光も検知して光電変換する。このため、従来の表示装置には、スクリーンパネルの表示面上で光学式マウスを使用する際に、表示面から射出された光も光電変換することに起因して、光学式マウスが誤動作するおそれがあるという問題点が存在する。
【０００５】
本発明は、かかる問題点に鑑みてなされたものであり、表示面上で光学式ポインティングデバイスを使用する際の誤動作を防止し得る表示装置を提供することを主目的とする。
【課題を解決するための手段】
【０００６】
上記目的を達成すべく本発明に係る表示装置は、画像を視認させるための光を射出する光射出部と、当該光射出部から射出された前記光に対して光学式ポインティングデバイスによって検知される主要波長領域の光を減衰させつつ通過させるフィルタ部とを備えている。
【０００７】
この表示装置では、フィルタ部が、光射出部から射出された光のうちの光学式ポインティングデバイスによって検知される主要波長領域の光を減衰させる。したがって、この表示装置によれば、例えば、ＣＲＴ型テレビジョン、液晶型テレビジョンおよびプラズマ型テレビジョンなどの表示装置の管面やパネル面（表示面）の上で光学式ポインティングデバイスを使用する際に、表示面から射出される光に対する光学式ポインティングデバイスの光電変換素子による検知を十分に防止することができる結果、画像表示装置の表示面上で光学式ポインティングデバイスを使用する際の誤動作を確実に防止することができる。
【０００８】
また、本発明に係る表示装置は、上記の表示装置において、投射光を射出する光学エンジンと、背面側から投射された前記投射光に基づく画像を表示するスクリーンパネルとを備え、前記光学エンジンは、光学式ポインティングデバイスによって検知される主要波長領域の光を減衰させるフィルタ部を備え、当該フィルタ部を通過させて前記投射光を前記スクリーンパネルに向けて投射する。
【０００９】
この表示装置としての例えばリアプロジェクタでは、フィルタ部が、光学式ポインティングデバイスによって検知される主要波長領域の光を減衰させる。したがって、この表示装置によれば、光学式ポインティングデバイスをスクリーンパネルのパネル面（表示面）上で使用する際に、光学式ポインティングデバイスの光電変換素子による投射光の検知を十分に防止することができる結果、スクリーンパネルのパネル面上で光学式ポインティングデバイスを使用する際の誤動作を確実に防止することができる。
【００１０】
また、本発明に係る表示装置は、上記の表示装置において、前記光学エンジンは、前記投射光を生成するための光源を備えて構成され、前記フィルタ部は、前記光源と、前記光学エンジンによって光変調された前記投射光が射出される射出口との間に配設されている。
【００１１】
この表示装置では、フィルタ部が、光源から射出される光のうちの光学式ポインティングデバイスによって検知される主要波長領域の光を減衰させる。したがって、この表示装置によれば、フィルタ部を光源と射出部との間に配設するだけの簡易な構造でありながら、光学式ポインティングデバイスによって検知される主要波長領域の光を含む光を射出する光源を用いることができる結果、部品コストや製造コストを高騰させることなく表示装置を構成することができる。
【００１２】
また、本発明に係る表示装置は、上記の表示装置において、前記スクリーンパネルは、前記投射光に基づく画像を表示するスクリーンパネル本体と、当該スクリーンパネル本体のパネル面を上向きにした状態で当該スクリーンパネル本体を支持する支柱とを備えている。
【００１３】
この表示装置によれば、支柱がパネル面を上向きにした状態でスクリーンパネル本体を支持することにより、テーブル型のスクリーンパネルを備えた表示装置を構成することができる。したがって、スクリーンパネルのパネル面に画像を表示させつつパネル面上で光学式ポインティングデバイスを使用することができる。
【００１４】
また、本発明に係る表示装置は、上記の表示装置において、前記フィルタ部は、誘電体多層膜フィルタ、ホログラフィックフィルタ、色ガラスフィルタおよびゼラチンフィルタの少なくとも１つで構成されている。
【００１５】
この表示装置によれば、フィルタ部が光学式ポインティングデバイスによって検知される主要波長領域の光を確実に減衰させることができるため、表示面上で光学式ポインティングデバイスを使用する際の誤動作を確実に防止することができる。
【００１６】
また、本発明に係る表示装置は、上記の表示装置において、前記主要波長領域が赤外領域に規定されている。
【００１７】
この表示装置によれば、フィルタ部が赤外領域の光を減衰させて可視領域の光を通過させるため、画像の色彩に影響を与えることなく表示面上に画像を表示することができる。
【発明を実施するための最良の形態】
【００１８】
以下、添付図面を参照して、本発明に係る表示装置の最良の形態について説明する。
【００１９】
最初に、本発明に係る表示装置を適用したテーブル型表示装置１（リアプロジェクタ）の構成について、図面を参照して説明する。図１に示すテーブル型表示装置１は、４本の脚部２，２・・、棚板３、天板４および光学エンジン５を備えてテーブル状に構成されている。各脚部２は、本発明における支柱に相当し、一例としてスチールで柱状に形成され、下部に棚板３が固定されると共に上端部に天板４が固定されて棚板３および天板４の双方を支持する。棚板３は、一例としてスチールで長方形の板状に形成されて、中央部に光学エンジン５が設置されると共に、光学エンジン５に接続されるコンピュータ１０などが載置される。
【００２０】
天板４は、本発明におけるスクリーンパネル本体に相当し、図１に示すように、ガラス板４ａ、レンチキュラーレンズ４ｂおよびフレネルレンズ４ｃを備え、表示面として機能して画像を表示可能に構成されている。この場合、ガラス板４ａは、一例として、光透過性を有する強化ガラスによって長方形の板状に形成されて、その表示面（その上面）上で筆記などの作業を行うことができるように構成されている。レンチキュラーレンズ４ｂは、例えば天板４よりも若干小さめの長方形の板状に形成されて、ガラス板４ａの下面に固定されている。フレネルレンズ４ｃは、例えばレンチキュラーレンズ４ｂと同じ形状の板状に形成されて、レンチキュラーレンズ４ｂの下面に固定されている。また、フレネルレンズ４ｃは、下面側から投射された投射光Ｌｐを平行光に変換し、レンチキュラーレンズ４ｂは、フレネルレンズ４ｃによって平行光に変換された投射光Ｌｐを光Ｌａ（拡散光）に変換（拡散）することによって画像４１を表示する。この場合、レンチキュラーレンズ４ｂによって拡散された可視領域の光Ｌａはガラス板４ａを透過してその表示面から上方に射出される。
【００２１】
光学エンジン５は、図１に示すように、画像データ出力機器としてのコンピュータ１０に接続されて、コンピュータ１０から出力された画像データに基づいて光変調した投射光Ｌｐを天板４に向けて投射する。この場合、コンピュータ１０は、一例として、同図に示すように、ノート型のパーソナルコンピュータであって、光学式マウス１１を入力装置として備えている。光学式マウス１１は、本発明における光学式ポインティングデバイスの一例であって、コンピュータ１０に備えられた受信部（図示せず）との間で無線方式でデータを伝送する。また、光学式マウス１１は、図３に示すように、底面側の内部に光検出ユニット１２を備えている。この光検出ユニット１２は、下側（底部側）に向けて赤外領域の照射光Ｌｄを射出するＬＥＤ１３と、ＬＥＤ１３から射出された照射光Ｌｄの反射光Ｌｓを集光するレンズ１４と、レンズ１４によって集光された反射光Ｌｓを光電変換する光電変換素子１５と、光電変換素子１５から出力された電気信号に基づいて光学式マウス１１の相対的な位置の変化を検出し、この位置の変化をデータ化した位置情報を生成してコンピュータ１０に出力する制御ＩＣ１６とを備えて構成されている。この場合、光電変換素子１５は、赤外領域（本発明における「主要波長領域」。一例として、７５０ｎｍ以上８５０ｎｍ以下の波長領域）に検知感度のピークを有している。
【００２２】
また、光学エンジン５は、３板式の光学エンジンであって、図２に示すように、光源部２１、色分割光学系２２、光変調素子２３ｒ，２３ｇ，２３ｂ（以下、区別しないときには「光変調素子２３」ともいう）、光合成光学系（以下、「プリズム」ともいう）２４、投射レンズ２５および赤外線カットフィルタ２６を備え、射出口２７から投射光Ｌｐを射出可能に構成されている。光源部２１は、一例としてＬＥＤ（Light Emitting Diode）によって構成され、赤外領域の光を含む白色光Ｌｗを発光する。色分割光学系２２は、一例として、ダイクロイックミラー３１ｒ，３１ｇ、全反射ミラー３２，３２，３２を備え、白色光Ｌｗを赤色光Ｌｒ（赤外領域の光を含む）、緑色光Ｌｇおよび青色光Ｌｂ（以下、赤色光Ｌｒ、緑色光Ｌｇおよび青色光Ｌｂを区別しないときには「光Ｌ」ともいう）に分割して各光変調素子２３ｒ，２３ｇ，２３ｂに向けてそれぞれ照射する。光変調素子２３は、一例として、入射側偏光板および射出側偏光板を備えた液晶ライトバルブで構成されて、照射された光Ｌを画像データに基づいて光変調する。プリズム２４は、各光変調素子２３ｒ，２３ｇ，２３ｂによって光変調された赤色光Ｌｒ、緑色光Ｌｇおよび青色光Ｌｂを合成して画像４１をカラー表示するための投射光Ｌｐを射出する。投射レンズ２５は、本発明における光射出部に相当し、プリズム２４から射出された投射光Ｌｐを拡大して天板４（フレネルレンズ４ｃ）に向けて射出する。この場合、投射レンズ２５によって拡大された投射光Ｌｐが、本発明における「画像を視認させるための光」に相当する。赤外線カットフィルタ２６は、光源部２１と射出口２７との間に配設され、一例として、長方形の板状に形成されたガラス基材と、本発明におけるフィルタ部に相当する誘電体多層膜フィルタであって、ガラス基材における投射レンズ２５側の表面において層状にコーティングされた誘電体多層膜とで構成されている。この場合、赤外線カットフィルタ２６は、投射レンズ２５から射出された光のうちの可視領域（一例として、３５０ｎｍ以上７００ｎｍ以下の波長領域）の光を通過させると共に、光学式マウス１１によって検知される主要波長領域の光（一例として、少なくとも７５０ｎｍ以上８５０ｎｍ以下の赤外領域の光）を減衰させる。したがって、この光学エンジン５では、赤外線カットフィルタ２６を通過した赤外領域の光を殆ど含まない主として可視領域の投射光Ｌｐが、射出口２７（図２参照）から天板４に向けて射出される。
【００２３】
次に、テーブル型表示装置１の全体的な動作について、光学エンジン５にコンピュータ１０が接続されている例について、図面を参照して説明する。例えば、画像をテーブル型表示装置１に表示させる場合、コンピュータ１０が、オペレータの操作に従い、表示パネル１０ａ（図１参照）に表示している画像に対応する画像データを光学エンジン５に出力する。この際に、表示パネル１０ａには、一例として、複数のトランプ画像が配置されたトランプゲームの一場面についての画像（図示せず）が表示されているものとする。
【００２４】
一方、光学エンジン５では、光源部２１が、図２に示すように、赤外領域の光を含む白色光Ｌｗを色分割光学系２２に向けて射出する。次に、色分割光学系２２が、白色光Ｌｗを赤色光Ｌｒ（赤外領域の光を含む）、緑色光Ｌｇおよび青色光Ｌｂに分割して、各光Ｌｒ，Ｌｇ，Ｌｂをそれぞれ各光変調素子２３ｒ，２３ｇ，２３ｂに照射する。次いで、光変調素子２３ｒ、光変調素子２３ｇおよび光変調素子２３ｂが、赤色光Ｌｒ，緑色光Ｌｇおよび青色光Ｌｂを画像データに基づいてそれぞれ光変調する。この場合、光変調素子２３ｒは、画像データのうちの赤色画像データに基づいて赤色光Ｌｒを光変調する。また、光変調素子２３ｇは、画像データのうちの緑色画像データに基づいて緑色光Ｌｇを光変調し、光変調素子２３ｂは、画像データのうちの青色画像データに基づいて青色光Ｌｂを光変調する。続いて、プリズム２４が、各光変調素子２３ｒ，２３ｇ，２３ｂによって光変調された赤色光Ｌｒ、緑色光Ｌｇおよび青色光Ｌｂを合成した投射光Ｌｐを射出する。この場合、投射光Ｌｐには赤外領域の光が含まれている。次に、投射レンズ２５が、プリズム２４から射出された赤外領域の光を含む投射光Ｌｐを拡大して射出する。次いで、赤外線カットフィルタ２６が、投射レンズ２５によって拡大された投射光Ｌｐのうちの赤外領域の光を減衰させつつ、主として可視領域の光を通過させる。これにより、光学エンジン５から主として可視領域の投射光Ｌｐが天板４（フレネルレンズ４ｃ）に向けて投射される。続いて、フレネルレンズ４ｃが、投射光Ｌｐを平行光に変換する。次に、図１に示すように、レンチキュラーレンズ４ｂが平行光に変換された投射光Ｌｐを光Ｌａ（拡散光）に変換（拡散）し、ガラス板４ａが光Ｌａを透過させる（つまりその上面側から光Ｌａを射出させる）ことにより、コンピュータ１０の表示パネル１０ａに表示されている画像と同様のトランプ画像４２，４２，・・を含む画像４１（図４参照）がカラー表示されて、天板４の上面側から視認される。この場合、投射光Ｌｐに赤外領域の光が殆ど含まれていないため、赤外領域の光を殆ど含まない光Ｌａが天板４（ガラス板４ａ）から射出される。
【００２５】
一方、天板４上で光学式マウス１１を操作したときには、図３に示すように、光学式マウス１１内の光検出ユニット１２におけるＬＥＤ１３から射出された赤外領域の照射光Ｌｄが天板４で反射され、その反射光Ｌｓがレンズ１４によって集光されて光電変換素子１５に入射する。また、天板４を通過した光Ｌａもレンズ１４によって集光されて光電変換素子１５に入射する。この場合、光Ｌａには赤外領域の光が殆ど含まれていないため、光電変換素子１５は、赤外領域の反射光Ｌｓを主として光電変換する。したがって、制御ＩＣ１６は、天板４から射出される光Ｌａの影響を殆ど受けることなく、天板４で反射された反射光Ｌｓを光電変換した電気信号に基づいて光学式マウス１１の相対的な位置の変化を正確に検知して、その位置情報をコンピュータ１０に出力する。このため、光学式マウス１１を図４に矢印で示す向きに移動させたときには、その位置情報がコンピュータ１０に出力されて、コンピュータ１０が表示パネル１０ａ上においてポインタ４３を矢印の向きと同じ向きに移動させる。この際に、コンピュータ１０は、画像データを光学エンジン５に出力し、光学エンジン５は、画像データに基づいて表示パネル１０ａに表示されている画像と同じ画像４１を表示させる投射光Ｌｐを投射する。これにより、同図に示すように、コンピュータ１０の表示パネル１０ａに表示されている画像と同じく、ポインタ４３が同図に示す矢印の向きに移動する画像４１が天板４の上面側から視認される。
【００２６】
このように、このテーブル型表示装置１では、光学エンジン５の赤外線カットフィルタ２６が、投射レンズ２５から射出された投射光Ｌｐのうちの光学式マウス１１によって検知される主要波長領域の光（赤外領域の光）を減衰させる。したがって、光学式マウス１１をテーブル型表示装置１の天板４上で使用する際に、天板４から射出される光Ｌａに対する光学式マウス１１の光電変換素子１５による検知を十分に防止することができる結果、テーブル型表示装置１の天板４上で光学式マウス１１を使用する際の誤動作を確実に防止することができる。
【００２７】
また、赤外線カットフィルタ２６が、光源部２１から射出される白色光Ｌｗのうちの光学式マウス１１によって検知される主要波長領域の光（赤外領域の光）の光を減衰させる。したがって、赤外線カットフィルタ２６を光源部２１と射出口２７との間に配設するだけの簡易な構造でありながら、光学式マウス１１によって検知される赤外領域の光を含む白色光Ｌｗを射出する光源部２１を用いることができる結果、部品コストや製造コストを高騰させることなくテーブル型表示装置１を構成することができる。
【００２８】
また、脚部２が天板４を支持することにより、テーブル型のスクリーンパネルを備えたテーブル型表示装置１を構成することができる。したがって、スクリーンパネルとしての天板４のパネル面に画像４１を表示させつつパネル面上で光学式マウス１１を使用することができる。
【００２９】
また、赤外線カットフィルタ２６が赤外領域の光を減衰させて可視領域の投射光Ｌｐを通過させるため、画像４１の色彩に影響を与えることなくテーブル型表示装置１における天板４のパネル面上に画像４１を表示することができる。
【００３０】
なお、本発明は、上記の構成に限定されない。例えば、赤外線カットフィルタ２６を投射レンズ２５と射出口２７との間に配設した構成例について説明したが、光源部２１と射出口２７との間の赤色光Ｌｒの光路上（赤外領域の光の光路上）における任意の位置に赤外線カットフィルタ２６を配設する構成を採用することができる。具体的には、図２に破線で示すように、光源部２１と色分割光学系２２との間、色分割光学系２２のダイクロイックミラー３１ｒと全反射ミラー３２との間、色分割光学系２２と光変調素子２３ｒとの間、光変調素子２３ｒとプリズム２４との間、およびプリズム２４と投射レンズ２５との間のいずれか１箇所または複数箇所に赤外線カットフィルタ２６を配設することができる。また、赤色光Ｌｒの光路上（赤外領域の光の光路上）に配設されている全反射ミラー３２や投射レンズ２５などの光学部品の表面に誘電体多層膜を形成する構成を採用することもできる。また、ＬＥＤを用いた光源部２１に代えて、高圧水銀ランプやメタルハライドランプなどを用いた光源を採用することもできる。さらに、透過型の液晶ライトバルブ（光変調素子２３）を用いた光学エンジン５に代えて、ＤＭＤ（デジタルマイクロミラーデバイス）や反射型の光変調素子を用いた各種タイプの光学エンジンを用いることができる。
【００３１】
また、図５に示すように、箱状のテーブル型表示装置１０１（本発明に係る表示装置の他の一例）に本発明を適用することもできる。なお、以下、テーブル型表示装置１と共通する構成要素については同一の符号を用いて重複した説明を省略する。このテーブル型表示装置１０１は、同図に示すように、ＣＲＴ１０２および赤外線カットフィルタ２６（本発明におけるフィルタ部）を備えて構成されている。この場合、ＣＲＴ１０２は、同図に示すように、筐体内に収容されると共にコンピュータ１０に接続されて、コンピュータ１０から出力された画像データに基づいて表示面１０３（ＣＲＴ１０２の管面。本発明における光射出部に相当する。）から画像を視認させるための光Ｌｃを射出する。赤外線カットフィルタ２６は、表示面１０３よりも若干大きめに形成されると共に筐体の上部（表示面１０３の上側）に配設されている。また、このテーブル型表示装置１０１の赤外線カットフィルタ２６では、ガラス基材として、強化ガラスが用いられている。さらに、この赤外線カットフィルタ２６は、テーブル型表示装置１の赤外線カットフィルタ２６と同様にして、光Ｌｃのうちの可視領域の光を通過させると共に赤外領域の光を減衰させる。したがって、赤外線カットフィルタ２６から主として可視領域の光Ｌｅが上向きに射出される。このテーブル型表示装置１０１においても、赤外線カットフィルタ２６が、表示面１０３から射出された光Ｌｃのうちの光学式マウス１１によって検知される赤外領域の光を減衰させて主として可視領域の光Ｌｅを射出する。したがって、光学式マウス１１をテーブル型表示装置１０１における表示面１０３の上方、この例では赤外線カットフィルタ２６上で使用する際に、光Ｌｅに赤外領域の光が殆ど含まれていないため、光電変換素子１５は、光学式マウス１１のＬＥＤ１３から射出されて赤外線カットフィルタ２６で反射された赤外領域の反射光Ｌｓを主として光電変換する。したがって、表示面１０３から射出される光Ｌｃに対する光学式マウス１１の光電変換素子１５による検知を十分に防止することができる結果、テーブル型表示装置１０１の表示面１０３上（つまり赤外線カットフィルタ２６上）で光学式マウス１１を使用する際の誤動作を確実に防止することができる。
【００３２】
また、上記のテーブル型表示装置１０１において、ＣＲＴ１０２に代えて、液晶ディスプレイやプラズマディスプレイなどの表示パネルを用いた構成を採用することもできる。この場合、赤外線カットフィルタ２６に代えてガラス板を筐体の上部に配設すると共に、ＣＲＴ１０２の表示面１０３や、表示パネルのパネル面に誘電体多層膜を直接形成してフィルタ部として機能させる構成を採用することもできる。
【００３３】
また、テーブル型表示装置１，１０１では、誘電体多層膜フィルタを用いて赤外線カットフィルタ２６を構成した例について説明したが、誘電体多層膜フィルタに代えて、または誘電体多層膜フィルタと共に、ホログラフィックフィルタ、色ガラスフィルタおよびゼラチンフィルタの少なくとも１種を用いて赤外線カットフィルタ２６を構成することもできる。また、赤外領域を減衰させる赤外線カットフィルタ２６を用いた構成例について説明したが、光学式マウス１１の光電変換素子１５によって検知される主要波長領域が赤外領域とは異なる波長領域のときには、光電変換素子１５によって主として検知される主要波長領域を減衰させるフィルタを採用することができるのは勿論である。
【００３４】
また、本発明に係る表示装置については、各種形状や任意の大きさに形成することができる。例えば、その周囲に複数人が着席して会議することができる円形状の会議机を構成することができる。この構成によれば、会議机の上面に会議用資料の画像を表示して、この画像を全員で視認しつつ会議を行い、その際に、会議机上で光学式マウス１１を使用することができる。また、会議に限らず、任意の用途に用いることができる。例えば、机状のゲーム機として用いることもできるし、証券取引用テーブルとして用いることもできる。
【図面の簡単な説明】
【００３５】
【図１】テーブル型表示装置１の側面図である。
【図２】光学エンジン５の構成を示す断面図である。
【図３】光学式マウス１１における光検出ユニット１２の側面断面図である。
【図４】テーブル型表示装置１の上面図である。
【図５】テーブル型表示装置１０１の側面断面図である。
【符号の説明】
【００３６】
１，１０１  テーブル型表示装置、２  脚部、４  天板、５  光学エンジン、Ｌｐ  投射光、１１  光学式マウス、２１  光源部、２６  赤外線カットフィルタ、２７  射出口、４１  画像、１０３  表示面、Ｌｃ  光
【図１】
2005258088.tif 000003
【図２】
2005258088.tif 000004
【図３】
2005258088.tif 000005
【図４】
2005258088.tif 000006
【図５】
2005258088.tif 000007